(57)【要約】  【課題】  継ぎ足し部分に充分な接続強度を有し、誰にでも誤ることなく確実に切削加工可能な接続部分を有した鉛筆を提供する。  【解決手段】  使い込まれて短小化してしまうか、予め所定短小のものとしてなる端切鉛筆２の一方端にだけ、同心状の雄ネジ部Ｂを設けてなる継足末端用鉛筆３０や、該雄ネジ部Ｂ，Ｂを両端に設けた継足中間用鉛筆３１の如く継足鉛筆３とする一方、雌ネジ部Ｎを両端に夫々設け、継足鉛筆３雄ネジ部Ｂを螺合可能にしてなるアダプター４を用意した上、継足鉛筆３である継足末端用鉛筆３０，３０が２個、継足中間用鉛筆３１，３１，……がｎ個と（１＋ｎ）個のアダプター４，４，……とが、アダプター４の雌ネジ部Ｎに継足鉛筆３の雄ネジ部Ｂを螺合、連結するようにして所望の長さに一本化してなるものとした鉛筆１である。【選択図】    図１
2010179540.tif 000002
【特許請求の範囲】
【請求項１】
使い込まれて短小または不要になってしまうか、予め所定短小のものとしてなる端切鉛筆から、その芯の周囲軸を同心状の短柱状に切削し、ネジ切り処理した雄ネジ部を、一方端にだけ設けてなる継足末端用鉛筆、それを両端共に設けてなる継足中間用鉛筆の如く、何れも端部に雄ネジ部だけを形成して継足鉛筆とする一方、それら継足鉛筆に形成した雄ネジ部の長さ以上の雌ネジ部を両端に夫々設け、各雌ネジ部には何れかの継足鉛筆雄ネジ部を螺合可能にしてなるアダプターを用意した上、継足鉛筆である継足末端用鉛筆２個、継足中間用鉛筆ｎ個と（１＋ｎ）個のアダプターとが、アダプターの雌ネジ部に継足鉛筆の雄ネジ部を螺合、連結するようにして所望の長さに一本化してなるものとしたことを特徴とする鉛筆。
【請求項２】
使い込まれて短小または不要になってしまうか、予め所定短小のものとしてなる端切鉛筆から、その芯の周囲軸を同心状の短柱状に切削し、ネジ切り処理した雄ネジ部を、一方端にだけ設けてなる継足末端用鉛筆、それを両端共に設けてなる継足中間用鉛筆のように、何れも端部に雄ネジ部だけを形成して継足鉛筆とする一方、それら継足鉛筆に形成した雄ネジ部の長さ以上の雌ネジ部を両端に夫々設け、各雌ネジ部には何れかの継足鉛筆雄ネジ部を螺合可能にしてなるアダプター、および一方端にだけ当該雄ネジ部を設け、他端がわは適宜長さの把持部に形成してなる延長パーツを用意した上、継足鉛筆である継足末端用鉛筆１個、継足中間用鉛筆ｎ個と（１＋ｎ）個のアダプター、延長パーツ１個とが、アダプターの雌ネジ部に継足鉛筆の雄ネジ部を螺合、連結すると共に、最後のアダプターには、その残る雌ネジ部に延長パーツの雄ネジ部を螺合、連結するようにして所望の長さに一本化してなるものとしたことを特徴とする鉛筆。
【請求項３】
使い込まれて短小または不要になってしまうか、予め所定短小のものとしてなる端切鉛筆から、その芯の周囲軸を同心状の短柱状に切削し、ネジ切り処理した雄ネジ部を、一方端にだけ設けてなる継足末端用鉛筆、それを両端共に設けてなる継足中間用鉛筆のように、何れも端部に雄ネジ部だけを形成して継足鉛筆とする一方、それら継足鉛筆に形成した雄ネジ部の長さ以上の雌ネジ部を両端に夫々設け、各雌ネジ部には何れかの継足鉛筆雄ネジ部を螺合可能にしてなるアダプター、および一方端にだけ当該雌ネジ部を設け、他端がわは適宜長さの把持部に形成してなる延長パーツを用意した上、継足鉛筆である継足末端用鉛筆１個、継足中間用鉛筆ｎ個と同ｎ個のアダプター、延長パーツ１個とが、アダプターの雌ネジ部に継足鉛筆の雄ネジ部を螺合、連結すると共に、最後の継足中間用鉛筆には、その残る雄ネジ部に延長パーツの雌ネジ部を螺合、連結するようにして所望の長さに一本化してなるものとしたことを特徴とする鉛筆。
【請求項４】
使い込まれて短小または不要になってしまうか、予め所定短小のものとしてなる端切鉛筆から、その芯の周囲軸を同心状の短柱状に切削し、ネジ切り処理した雄ネジ部を、一方端にだけ設けてなる継足末端用鉛筆、それを両端共に設けてなる継足中間用鉛筆のように、何れも端部に雄ネジ部だけを形成して継足鉛筆とする一方、それら継足鉛筆に形成した雄ネジ部の長さ以上の雌ネジ部を両端に夫々設け、各雌ネジ部には何れかの継足鉛筆雄ネジ部を螺合可能にしてなるアダプター、および一方端にだけ当該雄ネジ部を設け、他端がわは頭部状に形成してなる装飾パーツを用意した上、継足鉛筆である継足末端用鉛筆１個、継足中間用鉛筆ｎ個と（１＋ｎ）個のアダプター、装飾パーツ１個とが、アダプターの雌ネジ部に継足鉛筆の雄ネジ部を螺合、連結すると共に、最後のアダプターには、その残る雌ネジ部に装飾パーツの雄ネジ部を螺合、連結するようにして所望の長さに一本化してなるものとしたことを特徴とする鉛筆。
【請求項５】
使い込まれて短小または不要になってしまうか、予め所定短小のものとしてなる端切鉛筆から、その芯の周囲軸を同心状の短柱状に切削し、ネジ切り処理した雄ネジ部を、一方端にだけ設けてなる継足末端用鉛筆、それを両端共に設けてなる継足中間用鉛筆のように、何れも端部に雄ネジ部だけを形成して継足鉛筆とする一方、それら継足鉛筆に形成した雄ネジ部の長さ以上の雌ネジ部を両端に夫々設け、各雌ネジ部には何れかの継足鉛筆雄ネジ部を螺合可能にしてなるアダプター、および一方端にだけ当該雌ネジ部を設け、他端がわは頭部状に形成してなる装飾パーツを用意した上、継足鉛筆である継足末端用鉛筆１個、継足中間用鉛筆ｎ個と同ｎ個のアダプター、装飾パーツ１個とが、アダプターの雌ネジ部に継足鉛筆の雄ネジ部を螺合、連結すると共に、最後の継足中間用鉛筆には、その残る雄ネジ部に装飾パーツの雌ネジ部を螺合、連結するようにして所望の長さに一本化してなるものとしたことを特徴とする鉛筆。
【請求項６】
延長パーツが、ｎ個最後のアダプターか、継足中間用鉛筆かの何れか一方に接続する一方端とは反対がわの末端に頭部状装飾部を一体に設けるか、または、同末端に雄ネジ部かもしくは雌ネジ部を設け、同末端に雄ネジ部を設けた場合のみアダプターを介して、雄ネジ部かまたは雌ネジ部を設けた頭部状装飾パーツを螺合、連結するかの何れか一方としてなるものとした、請求項１ないし５何れか一項記載の鉛筆。
【請求項７】
アダプターを切削容易な材質製とし、その雌ネジ部の雄ネジ部が螺着する範囲に接着剤を塗布すると共に、その接着剤が、雄ネジ部の螺着まで未硬化の状態を保持可能とするよう、適所に密閉皮膜を形成してなるものとした、請求項１ないし６何れか一項記載の鉛筆。
【請求項８】
携帯容易な寸法、形状の本体内に、切削加工の対象となる端切鉛筆の軸外径より僅かに大きな内径の短孔状案内路を埋設状に内蔵し、同案内路の外端を該本体周壁適所に開口すると共に、該案内路の本体内に配した内端に対峙するよう、同案内路に沿って差し込まれた端切鉛筆それ自体を軸心とした相対的な回転動に伴い、該端切鉛筆の軸端外径がわに、同端切鉛筆芯を中心とする円筒状範囲を切削可能な外周用切り刃部と、該外周用切り刃部よりも奥がわに配して、同外周用切り刃部にて該端切鉛筆軸端が縮径化するよう切削された同心、円柱凸状部分の外周壁に、雄ネジ部を切削可能とするダイス型ネジ切り刃部とからなる切削刃を設けてなる雄ネジ切削具と、請求項１ないし７何れか一項記載の鉛筆用のアダプター、延長パーツ、装飾パーツの少なくとも何れか一個とを組み合わせてなるものとした鉛筆用の継足具セット。                                                                                        
【発明の詳細な説明】
【技術分野】
【０００１】
この発明は、筆記具に関するものであり、使い込まれて短小または不要になってしまうか、予め所定短小のものとしてなる鉛筆の有効利用を実現可能とする技術分野は勿論のこと、それに必要となる部品類の加工、製造、輸送、保管、組み立ておよび、それれら部品類の製造、輸送、展示などに必要となる設備、器具類を提供、販売する分野から、それら資材や機械装置、部品類に必要となる素材、例えば、木材、石材、各種繊維類、プラスチック、各種金属材料等を提供する分野、それらに組み込まれる電子部品やそれらを集積した制御関連機器の分野、各種計測器の分野、当該設備、器具を動かす動力機械の分野、そのエネルギーとなる電力やエネルギー源である電気、オイルの分野といった一般的に産業機械と総称されている分野、更には、それら設備、器具類を試験、研究したり、それらの展示、販売、輸出入に係わる分野、将又、それらの使用の結果やそれを造るための設備、器具類の運転に伴って発生するゴミ屑の回収、運搬等に係わる分野、それらゴミ屑を効率的に再利用するリサイクル分野などの外、現時点で想定できない新たな分野までと、関連しない技術分野はない程である。                                                                                    
【背景技術】
【０００２】
（着目点）
市販されている鉛筆は、その一端を円錐状に削って使用していると、始めは尖っていた芯先が次第に太くなってしまうものであり、芯先が丸くなったり、軸から露出している芯が少なくなったりしたときには、再度削って芯を軸から露出させると共に、芯先を尖らせてから使用しなければならないという性質をもっており、そのために次第に軸部分自体が短くなって把持し辛くなり、最終的には、正常に持つことすらできなくなってしまい、未だ未使用の芯が充分に残っているにも拘わらず、廃棄しなければならなくなってしまうという不経済な一面をもっていた。
【０００３】
このような無駄を削減するものとして、例えば、下記の特許文献１（１）に提案されているものに代表されるように、筆記用具として使用できる大きさ、形の棒状の本体における、その一端に鉛筆を差し込むことができる大きさの入り口をもち、ある程度の奥行をもつ穴を形成し、その穴は奥に行くに従って、徐々に小さくなって行くものとし、短くなった鉛筆を握り易い長さに延長すると共に、確りと接続可能としてなるものなどが既に提案されているが、奥がわが細くなった差し込み穴をもつ棒状の本体は、装着した鉛筆が装着穴内で傾き易く、筆記中の筆圧や携帯中の外部振動などを受けて抜け易いという致命的な欠点を有するものであった。
【０００４】
（従来の技術）
こうした状況を憂慮し、例えば、特許文献１（２）に見られるような、鉛筆の両端を同じ長さ分だけ同じ径に細くし、両端対称形に形成してなり、２本の鉛筆の一端同士を接合状配置とした上、同心上に突き合わせた細径同士の外周に粘着テープを巻き付けるなどして継ぎ足し接続、一体化可能としたものや、、特許文献１（３）のように、器具本体の適所に開口した鉛筆用第１挿通孔の同軸心上に鉛筆の中心部に穴明けするドリルを設け、同器具本体の別の適所に開口した鉛筆用第２挿通孔の同軸心上に鉛筆の外周部を切削する切削体を設け、鉛筆の端部に、同心円柱状凸部かまたは同心円柱状の凹部を切削形成できるようにし、２本以上の鉛筆の端部に形成した凸部と凹部とを嵌合状に組み合わせて接続可能とするものなどが散見される。
【０００５】
しかし、前者特許文献１（２）に示されているような細径化した鉛筆端同士を突き合わせて粘着テープの巻き付けなどで固定するようにしたものは、利用者の作業具合によって個々の完成後の品質に大きな差を生じ易く、適切に組み立てられていないと接続強度が大きく低下してしまう虞があり、連結部分の剛性が足りず、把持したときに応力が集中して容易に折れ曲がってしまったり、軸方向に抜け落ちてしまったりし易いという欠点があり、また、特許文献１（３）に代表するような鉛筆の端部を接続できる形状に切削可能とする文房具類は、接続する鉛筆の各端部を加工する前に、凸部と凹部との組み合わせを充分に考慮した上、注意深く切削する必要があり、誤って凸部同士の組み合わせとなったり、また、凹部同士の組み合わせに加工してしまうと、凹部凸部の合計分に相当する長さの鉛筆端を、再度切削し直さなければならないという不便が生じる外、何よりも凹部の強度上の問題があり、継ぎ足し使用するという概念上では成り立ち得るとしても、上記加工上などとの問題点とも加味され、殆ど実用に耐えないものとなってしまう虞が高いものとしなければならないものであった。                                                
【特許文献１】（１）    特開平８−２２４９８９号公報    （２）実開平５−７０９７７号公報    （３）登録実用新案第３１１３０３８号
【発明の開示】
【発明が解決しようとする課題】
【０００６】
（問題意識）
上述したとおり、従前までに提案のある技術的手段に依るものでは、使用段階での安定性確保の点で問題があったり、使用者、特に子供達にとっては、その接続構造実現のための加工性に問題を有していて扱い難いものとなる虞れが強く、仮令それに習熟したとしても期待するような接続構造を常に確保することは不可能に近い上、使用段階において、その接続構造の故に十分な強度が得られなく、使用中にその継ぎ目箇所からしょっちゅう破壊、離脱を繰り返すことが懸念されるといった問題があり、それら弊害からなのか、何れも実用化されているという情報は全く耳にしないことから、何とかそれら従前までのものの問題点を解消して資源の有効活用に繋がるような方策はないものかと、短くなって使えなくなる鉛筆を目の辺りにする度毎に意識するに至ったものである。
【０００７】
（発明の目的）
そこで、この発明は、継ぎ足し部分に充分な接続強度を有し、誰にでも誤ることなく確実に切削加工可能な接続部分を有する上、これまでの単に経済性の見地からだけの発想ではなく、使う人の身になって興味をそそるよう配慮した使い古し鉛筆の活用ができる新たな鉛筆用の継ぎ足し技術の開発はできないものかとの判断から、逸速くその開発、研究に着手し、長期に渡る試行錯誤と幾多の試作、実験とを繰り返してきた結果、今回、遂に新規な構造の鉛筆、およびそれ用の新規な構造の継足具セットを実現化することに成功したものであり、以下では、図面に示すこの発明を代表する実施例と共に、その構成を詳述することとする。                                                                                    
【課題を解決するための手段】
【０００８】
（発明の構成）
図面に示すこの発明を代表する実施例からも明確に理解されるように、この発明の鉛筆は、基本的に次のような構成から成り立っている。
即ち、使い込まれて短小または不要になってしまうか、予め所定短小のものとしてなる端切鉛筆から、その芯の周囲軸を同心状の短柱状に切削し、ネジ切り処理した雄ネジ部を、一方端にだけ設けてなる継足末端用鉛筆、それを両端共に設けてなる継足中間用鉛筆の如く、何れも端部に雄ネジ部だけを形成して継足鉛筆とする一方、それら継足鉛筆に形成した雄ネジ部の長さ以上の雌ネジ部を両端に夫々設け、各雌ネジ部には何れかの継足鉛筆雄ネジ部を螺合可能にしてなるアダプターを用意した上、継足鉛筆である継足末端用鉛筆２個、継足中間用鉛筆ｎ個と（１＋ｎ）個のアダプターとが、アダプターの雌ネジ部に継足鉛筆の雄ネジ部を螺合、連結するようにして所望の長さに一本化してなるものとした構成を要旨とする鉛筆である。
【０００９】
この基本的な構成からなる鉛筆を表現を変えて示すと、使い込まれて短小または不要になってしまうか、予め所定短小のものとしてなる端切鉛筆から、その芯の周囲軸を同心状の短柱状に切削し、ネジ切り処理した雄ネジ部を、一方端にだけ設けてなる継足末端用鉛筆、それを両端共に設けてなる継足中間用鉛筆のように、何れも端部に雄ネジ部だけを形成して継足鉛筆とする一方、それら継足鉛筆に形成した雄ネジ部の長さ以上の雌ネジ部を両端に夫々設け、各雌ネジ部には何れかの継足鉛筆雄ネジ部を螺合可能にしてなるアダプター、および一方端にだけ当該雄ネジ部を設け、他端がわは適宜長さの把持部に形成してなる延長パーツを用意した上、継足鉛筆である継足末端用鉛筆１個、継足中間用鉛筆ｎ個と（１＋ｎ）個のアダプター、延長パーツ１個とが、アダプターの雌ネジ部に継足鉛筆の雄ネジ部を螺合、連結すると共に、最後のアダプターには、その残る雌ネジ部に延長パーツの雄ネジ部を螺合、連結するようにして所望の長さに一本化してなるものとし構成からなる鉛筆となる。
【００１０】
これを換言すると、使い込まれて短小または不要になってしまうか、予め所定短小のものとしてなる端切鉛筆から、その芯の周囲軸を同心状の短柱状に切削し、ネジ切り処理した雄ネジ部を、一方端にだけ設けてなる継足末端用鉛筆、それを両端共に設けてなる継足中間用鉛筆のように、何れも端部に雄ネジ部だけを形成して継足鉛筆とする一方、それら継足鉛筆に形成した雄ネジ部の長さ以上の雌ネジ部を両端に夫々設け、各雌ネジ部には何れかの継足鉛筆雄ネジ部を螺合可能にしてなるアダプター、および一方端にだけ当該雌ネジ部を設け、他端がわは適宜長さの把持部に形成してなる延長パーツを用意した上、継足鉛筆である継足末端用鉛筆１個、継足中間用鉛筆ｎ個と同ｎ個のアダプター、延長パーツ１個とが、アダプターの雌ネジ部に継足鉛筆の雄ネジ部を螺合、連結すると共に、最後の継足中間用鉛筆には、その残る雄ネジ部に延長パーツの雌ネジ部を螺合、連結するようにして所望の長さに一本化してなるものとした構成からなる鉛筆となる。
【００１１】
さらに表現を変えて示すと、使い込まれて短小または不要になってしまうか、予め所定短小のものとしてなる端切鉛筆から、その芯の周囲軸を同心状の短柱状に切削し、ネジ切り処理した雄ネジ部を、一方端にだけ設けてなる継足末端用鉛筆、それを両端共に設けてなる継足中間用鉛筆のように、何れも端部に雄ネジ部だけを形成して継足鉛筆とする一方、それら継足鉛筆に形成した雄ネジ部の長さ以上の雌ネジ部を両端に夫々設け、各雌ネジ部には何れかの継足鉛筆雄ネジ部を螺合可能にしてなるアダプター、および一方端にだけ当該雄ネジ部を設け、他端がわは頭部状に形成してなる装飾パーツを用意した上、継足鉛筆である継足末端用鉛筆１個、継足中間用鉛筆ｎ個と（１＋ｎ）個のアダプター、装飾パーツ１個とが、アダプターの雌ネジ部に継足鉛筆の雄ネジ部を螺合、連結すると共に、最後のアダプターには、その残る雌ネジ部に装飾パーツの雄ネジ部を螺合、連結するようにして所望の長さに一本化してなるものとした鉛筆と言える。
【００１２】
更には、使い込まれて短小または不要になってしまうか、予め所定短小のものとしてなる端切鉛筆から、その芯の周囲軸を同心状の短柱状に切削し、ネジ切り処理した雄ネジ部を、一方端にだけ設けてなる継足末端用鉛筆、それを両端共に設けてなる継足中間用鉛筆のように、何れも端部に雄ネジ部だけを形成して継足鉛筆とする一方、それら継足鉛筆に形成した雄ネジ部の長さ以上の雌ネジ部を両端に夫々設け、各雌ネジ部には何れかの継足鉛筆雄ネジ部を螺合可能にしてなるアダプター、および一方端にだけ当該雌ネジ部を設け、他端がわは頭部状に形成してなる装飾パーツを用意した上、継足鉛筆である継足末端用鉛筆１個、継足中間用鉛筆ｎ個と同ｎ個のアダプター、装飾パーツ１個とが、アダプターの雌ネジ部に継足鉛筆の雄ネジ部を螺合、連結すると共に、最後の継足中間用鉛筆には、その残る雄ネジ部に装飾パーツの雌ネジ部を螺合、連結するようにして所望の長さに一本化してなるものとした構成の鉛筆を包含している。
【００１３】
（関連する発明）
上記した鉛筆に関連し、この発明には、それ用の継足具セットも包含している。
即ち、携帯容易な寸法、形状の本体内に、切削加工の対象となる端切鉛筆の軸外径より僅かに大きな内径の短孔状案内路を埋設状に内蔵し、同案内路の外端を該本体周壁適所に開口すると共に、該案内路の本体内に配した内端に対峙するよう、同案内路に沿って差し込まれた端切鉛筆それ自体を軸心とした相対的な回転動に伴い、該端切鉛筆の軸端外径がわに、同端切鉛筆芯を中心とする円筒状範囲を切削可能な外周用切り刃部と、該外周用切り刃部よりも奥がわに配して、同外周用切り刃部にて該端切鉛筆軸端が縮径化するよう切削された同心、円柱凸状部分の外周壁に、雄ネジ部を切削可能とするダイス型ネジ切り刃部とからなる切削刃を設けてなる雄ネジ切削具と、この発明の基本をなす前記鉛筆用のアダプター、延長パーツ、装飾パーツの少なくとも何れか一個とを組み合わせてなるものとした継足具セットである。                                                                                            
【発明の効果】
【００１４】
以上のとおり、この発明の鉛筆によれば、従前までのものとは違い、上記したとおりの固有の特徴ある構成から、使い込まれて短小または不要になってしまった複数本の端切鉛筆に雄ネジ部を加工して継足鉛筆とし、継足鉛筆である継足末端用鉛筆２個と継足中間用鉛筆ｎ個とを、（１＋ｎ）個のアダプターを介して連結するだけで、所望の長さに容易に一本化して新しい市販の鉛筆と同等の握りを可能とし、従前までは廃棄してしまうしかなかった短くなった端切鉛筆を簡便に再生可能とすることができ、各段に経済的で自然環境にも優しい鉛筆のリサイクル技術を実現化すると共に、端切鉛筆に雄ネジ部のみを加工したものとすることで、誰にでも誤ることなく確実に連結部分の切削加工を行うことができるようになり、しかもアダプターを介した継ぎ足しによって連結部分に高い強度を確保して、筆記中の握力や携行中の振動などにも充分に耐える高い耐久強度を得ることができるという秀れた効果を発揮するものとなる。
【００１５】
加えて、継足末端用鉛筆２個中の１個を、一方端にだけ当該雄ネジ部を設け、他端がわは適宜長さの把持部に形成してなる延長パーツに置き換えたものは、継足鉛筆である継足末端用鉛筆１個、継足中間用鉛筆ｎ個と（１＋ｎ）個のアダプター、延長パーツ１個との組み合わせとなり、端切鉛筆の継ぎ足しだけでは長さが不十分な場合であっても、延長パーツの接続によって所望の全長に調節することができるものとなり、しかも延長パーツの頭部状装飾部５１の形状や色などの特徴を変えたものは、個別に識別し易く、複数の利用者が各人の鉛筆を視覚的に識別可能なものとすることができ、さらに、頭部状装飾部５１が開閉キャップ５３をもつ小収納室５２に形成されたものは、その小収納室５２内に、消しゴムや折り畳んだメモ紙などを自由に収納することが可能であり、しかも連結した継足鉛筆が消耗してしまった後に残る延長パーツは、新たに加工した継足鉛筆に半永久的に再利用可能であり、一段と自然環境に優しく経済性に秀れた利用を実現化できるという利点をもつものである。
【００１６】
そして、後端がわの継足中間用鉛筆に、一方端にだけ当該雌ネジ部を設け、他端がわは適宜長さの把持部に形成してなる延長パーツを、アダプターを介さずに直接、連結してなる鉛筆は、延長パーツとアダプターとの連結を不要として構造の簡素化および部品点数の削減とを可能とし、より経済的で強度的にも一段と秀れたものとすることができる。
【００１７】
アダプター、および、一方端にだけ当該雄ネジ部を設け、他端がわは頭部状に形成してなる装飾パーツを用意し、継足末端用鉛筆１個、継足中間用鉛筆ｎ個と（１＋ｎ）個のアダプター、装飾パーツ１個とを連結するようにしてなる鉛筆は、様々な色や形状の装飾パーツに簡単に交換することができ、また、一方端にだけ当該雌ネジ部を設け、他端がわは頭部状に形成してなる装飾パーツを用意し、継足末端用鉛筆１個、継足中間用鉛筆ｎ個と同数のアダプター、装飾パーツ１個とを連結するようにしてなる鉛筆は、後端がわの継足中間用鉛筆と装飾パーツとの連結にアダプターが不要となり、部品点数の削減に役立つものとなり、しかも、それらアダプターや装飾パーツに様々な形状や彩色を施してなるものを各種準備し、それらの中から選択、使用することを可能とすることにより、装飾性を高めて使用者の興味をそそることとなり、単に鉛筆だけを直接繋ぐようにしただけのものに比較し、使用者の満足度は各段に高められ、商品力を頗る強化できるものになり、多くの人が個性的に使用できることとなって普及に役立つことになるという大きな特徴を発揮する。
【００１８】
ｎ個最後の継足中間用鉛筆に一方端を接続するようにした延長パーツの末端に、頭部状装飾パーツを螺合、連結するようにした場合には、一端に雌ネジ部を設け、他端に雄ネジ部を設けた延長パーツ、両端に雄ネジ部を設けた延長パーツ、または、両端に雌ネジ部を設けた延長パーツの何れかとし、それらに対して様々な形状の装飾パーツを螺合、連結することができるものとなり、より多くの部品同士を交換、組み合わせ可能なものとする外、アダプターを切削容易な材質製とし、その雌ネジ部の雄ネジ部が螺着する範囲に接着剤を塗布すると共に、密閉皮膜を形成してなる鉛筆は、該アダプターを介して１本に連結した継足鉛筆である継足末端用鉛筆や継足中間用鉛筆を、アダプターによる連結部分諸共に、市販の鉛筆と同様に円錐状に切削することが可能となり、各継足鉛筆の雄ネジ部中の芯も、筆記に利用することができるようになって経済的な利用を実現可能となる。
【００１９】
そして、この発明の継足具セットは、それ１つを購入するだけで、この発明の基本をなす鉛筆を誰でも簡単に組立て可能となり、付属する雄ネジ切削具を用いて、使い込まれて短小または不要になってしまうか、予め所定短小のものとしてなる端切鉛筆から、誰でも簡単に継足鉛筆である継足末端用鉛筆および継足中間用鉛筆を加工、準備して付属するアダプターやその他の部品類を自在に組み合わせて速やかに、この発明の鉛筆を完成することができるという大きな効果を奏するものである。                                                                        
【発明を実施するための最良の形態】
【００２０】
上記したとおりの構成からなるこの発明の実施に際し、その最良もしくは望ましい形態について、以下、説明を加えることにする。
端切鉛筆は、市販鉛筆を削りながら利用して、通常の把持が不可能となってしまった使用済のものを主体とするが、その他では未使用の市販鉛筆をそのままか、予め工場生産によってこの目的のために短く生産された専用の鉛筆などを用いることも可能であり、例えば、黒鉛と粘土を混ぜて焼いた細棒状の芯の周囲に、北米産シダー材やヒマラヤスギなどの木材や合成樹脂材、その他の切削可能な複合材などを貼り合わせ、断面が正六角形や円形、四角形、三角形、その他のパイプ状の軸を一体化、形成してなるものとすることができ、それら何れかの鉛筆を利用して継足用鉛筆である、継足末端鉛筆および継足中間鉛筆に加工することが可能である。
【００２１】
継足末端鉛筆は、この発明の鉛筆の先端部分か、または後端部分かの何れか一方を形成し、その一方端に各種部品を同心状に接続可能とする機能を果たすものであり、一方端にだけ雄ネジ部を設け、該雄ネジ部を設けた一方端とは反対がわの他方端が、輪切り状のままの鉛筆か、または、同他方端を同心円錐状に切削して芯を筆記可能に露出してなるものかの何れかとしなければならず、使用済みの端切鉛筆の円錐状に切削された端部とは反対がわの端部にこの発明の雄ネジ切削具を用いて雄ネジ部を切削してなるものや、端切鉛筆の輪切り状の端部を残し、これとは反対がわの端部に、当該雄ネジ切削具を用いて雄ネジ部を切削してなるものとすることができる外、さらに、当該雄ネジ切削具を用いて円錐状端または輪切り状端にも雄ネジ部を形成して継足中間鉛筆に追加加工したりすることが可能であり、さらに、工場生産の製造過程における半加工鉛筆の一端に雄ネジ部を切削して、継足専用の末端鉛筆商品として製造されたものとすることができる。
【００２２】
継足中間鉛筆は、この発明の鉛筆の中間部分を形成し、その両端に各種部品を同心状に接続可能とする機能を果たすものであり、端切鉛筆の両端双方に雄ネジ部を切削してなるものとしなければならず、この発明の雄ネジ切削具を用いて容易に切削可能なものとすべきであって、市販の鉛筆削りを用いて随時、その何れか一方端を同心円錐状に切削加工して先端用の継足末端鉛筆に追加加工することが可能であり、また、工場生産の製造過程における半加工鉛筆の両端に夫々雄ネジ部を切削して、継足専用の中間鉛筆商品として製造されたものとすることができる。
【００２３】
アダプターは、この発明の鉛筆の各種部品に形成してある雄ネジ部同士を、互いに螺合、一体化可能とする機能を果たし、当該雄ネジ部の長さ以上の雌ネジ部を両端に夫々設けてなるものとしなければならず、一部または全体に、外観形状以外の視覚情報である着色や文字、模様、写真、絵などの個別に識別可能な視覚的表示部を設けてなるものとすることができる外、外周壁適所に所定寸法、形状に設定された表示シートを嵌め込み可能とするシート装着部を形成し、該シート装着部に色、文字、模様、写真、絵などの個別に識別可能な視覚情報を表示した表示シートを着脱自在に装着してなるものとすることが可能であり、後述する実施例に示すように、同アダプター全体を切削容易な木材や合成樹脂、複数素材などからなるものとすることができ、雌ネジ部の雄ネジ部が螺着する範囲に接着剤を塗布すると共に、その接着剤が、雄ネジ部の螺着まで未硬化の状態を保持可能とするよう、適所に密閉皮膜を形成してなるものとすることができる。
【００２４】
延長パーツは、この発明の継足鉛筆の継足末端用鉛筆や継足中間用鉛筆、アダプターまたは装飾パーツなどの各種部品夫々の雄ネジ部または雌ネジ部に対して、鉛筆の芯を持たない延長専用部分を接続、一体化形成可能とする機能を果たし、一方端にだけ当該雄ネジ部か、または雌ネジ部かの何れか一方を設け、他端がわは適宜長さの把持部に形成してなるものとしなければならず、該把持部の他端がわに頭部状装飾部を形成したものとすることができる外、該把持部の他端にも当該雄ネジ部か、または雌ネジ部かの何れか一方を設けたものとすることができ、該把持部他端の雄ネジ部か、または雌ネジ部かの何れか一方には、装飾パーツを直接か、または、アダプターを介してかの何れかにて接続したものとすることが可能であり、一部または全体に、外観形状以外の視覚情報である着色や文字、模様、写真、絵などの個別に識別可能な視覚的表示部を設けてなるものとすることが可能である外、外周壁適所に所定寸法、形状に設定された表示シートを嵌め込み可能とするシート装着部を形成し、該シート装着部に色、文字、模様、写真、絵などの個別に識別可能な視覚情報を表示した表示シートを着脱自在に装着してなるものとすることができる。
【００２５】
装飾パーツは、この発明の継足鉛筆の継足末端用鉛筆や継足中間用鉛筆、アダプターまたは延長パーツなどの各種部品夫々の末端がわとなる雄ネジ部または雌ネジ部に接続して装飾可能とする機能を果たすものであり、当該雌ネジ部を凹設した頭部状に形成したものか、または、当該雄ネジ部を設けた頭部状のものかの何れか一方としなければならず、一部または全体に、外観形状以外の視覚情報である着色や文字、模様、写真、絵などの個別に識別可能な視覚的表示部を設けてなるものとしたり、外周壁適所に所定寸法、形状に設定された表示シートを嵌め込み可能とするシート装着部を形成し、該シート装着部に色、文字、模様、写真、絵などの個別に識別可能な視覚情報を表示した表示シートを着脱自在に装着してなるものとしたりすることが可能である。
【００２６】
延長パーツや装飾パーツの末端に形成した頭状部は、延長パーツや装飾パーツの末端を装飾すると共に、外観形状や着色などが施された別外観の頭状部と容易に識別可能とする機能を果たし、その一部または全体に、外観形状以外の視覚情報である着色や文字、模様、写真、絵などの個別に識別可能な視覚的表示部を設けてなるものや、外周壁適所に所定寸法、形状に設定された表示シートを嵌め込み可能とするシート装着部を形成し、該シート装着部に色、文字、模様、写真、絵などの個別に識別可能な視覚情報を表示した表示シートを着脱自在に装着してなるものなどとすることができ、開閉キャップを有する小収納室からなるものか、または、球形、矩形、星形などの様々な立体形状物や、人物、動物、ロボット、乗り物あるいはキャラクターなどの一部または全部の形状に成型された、他形状の延長パーツや装飾パーツの頭状部と識別容易な模型かの何れか一方からなるものとするのが望ましい。
【００２７】
頭状部の小収納室は、小さな消しゴムや小さく折り畳んだメモ紙などの小物類を収納可能とする空間を確保したものとすべきであり、ヒンジやネジにて簡単に開閉可能とした開閉キャップを設けたものとすることができる外、該小収納室内に嵌合、装着可能な形状、寸法の消しゴムや糊、クリップ類などの小物文具類を着脱自在に装着してなるものとすることが可能である。
【００２８】
アダプターの雌ネジ部に塗布してある接着剤は、同雌ネジ部に雄ネジ部が螺合した後に、硬化して一体化する機能を果たすものであり、この発明の鉛筆を用いた筆記中や、携行中の振動などによって不用意に該雌ネジ部と雄ネジ部との結合部分が分離してしまわないよう強固に結合可能なものとしなければならず、雌ネジ部と雄ネジ部とを螺合する直前に、利用者が自ら塗布して螺着、結合するよう用いることが可能である外、後述する実施例に示すように、雌ネジ部の雄ネジ部が螺着する範囲に塗布すると共に、雄ネジ部の螺着まで未硬化の状態を保持可能とするよう、適所に密閉皮膜を形成してなるものとすることが可能である。
【００２９】
接着剤用の密閉皮膜は、塗布済みの接着剤が直ちに硬化するのを停止しておき、利用者が雌ネジ部に雄ネジ部を螺合したときに硬化するよう接着機能を制御可能とする機能を果たし、例えば、雌ネジ部に塗装済みの接着剤表面に薄膜状の皮膜を形成しておき、該雌ネジ部に雄ネジ部を螺合したときに、そのねじ込みの摩擦力にて該皮膜が破壊し、接着剤が露出状となって硬化、接着するようにしたものとすることができる外、後述する実施例に示すように、接着剤塗装済みの雌ネジ部の開口端に、密閉皮膜を剥離容易に貼着してなるものとすることなどが可能である。
【００３０】
この発明の鉛筆用の継足具セットは、それを用いることで、市販鉛筆や、使い込まれて短小または不要になってしまうか、予め所定短小のものとしてなる端切鉛筆の複数本同士を接続したり、この発明のアダプター、延長パーツ、装飾パーツなどの少なくとも何れか１個を接続したりして、この発明の鉛筆を簡便に組み立て可能とする機能を果たすものであり、必ず雄ネジ切削具と、アダプター、延長パーツ、装飾パーツの少なくとも何れか一個とを組み合わせてなるものとしなければならず、後述する実施例に示すように、この発明の鉛筆を組み立てるのに必要な複数個の部品類を１個のパッケージに纏めて店頭陳列、販売可能な形態のものとすべきであり、さらに、予め所定短小のものとしてなる端切鉛筆や雄ネジ部加工済みの継足鉛筆、または市販型通常寸法の鉛筆の何れかなどを含めて包装してなるものとすることができる。
【００３１】
雄ネジ切削具本体は、切削加工の対象となる鉛筆用の案内路を形成すると共に、その奥がわ配置となる切削刃を一体的に固定可能とし、雄ネジ部を容易に切削加工できるものとするという機能を果たし、該案内路は、切削加工の対象となる鉛筆の軸外径より僅かに大きな内径の短孔状に形成し、当該本体内に埋設状に内蔵したものとしなければならず、該案内路の内端には、該鉛筆の軸端外径がわに、同鉛筆芯を中心とする円筒状範囲を切削可能な外周用切り刃部と、該外周用切り刃部よりも奥がわに配して、同外周用切り刃部にて該鉛筆軸端が縮径化するよう切削された同心、円柱凸状部分の外周壁に、雄ネジ部を切削可能とするダイス型ネジ切り刃部とからなる切削刃を設けてなるものとすべきであり、後述する実施例に示すように、該切削刃から、その周囲に排出する切削屑を外部に漏出することなく収容可能であって、当該本体から分離可能な切削屑容器を着脱自在に組み込んでなるものとすることができ、さらにまた、鉛筆端を円錐状に切削可能な通常の鉛筆削りを一体に設けたものとすることが可能である。
以下では、図面に示すこの発明を代表する実施例と共に、その構造について詳述することとする。                                                                                                            
【実施例１】
【００３２】
図１のアダプターを組み込んだ鉛筆の平面図、図２の各種継足鉛筆の平面図、図３のアダプターを介して延長パーツを組み込んだ鉛筆の平面図、図４の延長パーツを直接組み込んだ鉛筆の平面図、図５の装飾パーツを組み込んだ鉛筆の平面図、図６の延長パーツに組み合わせ可能な各種装飾パーツの平面図、図７のシート装着部を有する延長パーツの平面図、および、図８のアダプターの雌ネジ部に接着剤を塗布した鉛筆の平面図に示す事例は、使い込まれて短小化してしまうか、予め所定短小のものとしてなる端切鉛筆２の一方端にだけ、同心状の雄ネジ部Ｂを設けてなる継足末端用鉛筆３０や、該雄ネジ部Ｂ，Ｂを両端に設けた継足中間用鉛筆３１の如く継足鉛筆３とする一方、雌ネジ部Ｎを両端に夫々設け、継足鉛筆３雄ネジ部Ｂを螺合可能にしてなるアダプター４を用意した上、継足鉛筆３である継足末端用鉛筆３０，３０が２個、継足中間用鉛筆３１，３１，……がｎ個と（１＋ｎ）個のアダプター４，４，……とが、アダプター４の雌ネジ部Ｎに継足鉛筆３の雄ネジ部Ｂを螺合、連結するようにして所望の長さに一本化してなるものとした、この発明の鉛筆における代表的な一実施例を示すものである。
【００３３】
図１中に示すように、この発明の鉛筆１は、芯２０の周囲に同心状の軸２１を設けてなる断面正六角形の市販鉛筆の端を同心円錐状に切削し、筆記に利用して露出した芯２０が擦り減る毎に、同様の切削を繰り返しながら短くなるまで通常通りに利用し、握りの部分が短くなって使用済となった端切鉛筆２の、既に円錐状に切削してある端部とは反対がわの未切削の一方端に、その軸２１部分を芯２０より太く、軸２１外径より細い短柱状部分２２とするよう切削すると共に、該短柱状部分２２の周囲に雄ネジを刻設し、雄ネジ部Ｂを形成て継足鉛筆３である先端用の継足末端用鉛筆３０とし、また、使用済の端切鉛筆２の円錐状に切削されている先端に雄ネジ部Ｂを刻設し、該雄ネジ部Ｂとは反対がわの輪切り状の末端はそのままの状態とした末端用の継足末端用鉛筆３０を形成した上、使用済の端切鉛筆２の両端に雄ネジ部Ｂ，Ｂを夫々刻設した継足中間用鉛筆３１，３１を２個（ｎ個）と、外径が端切鉛筆２と略一致し、雄ネジ部Ｂの２倍を僅かに上回る長さとした合成樹脂製の短パイプであって、その両端間に渡る内周壁に、該雄ネジ部Ｂに螺合可能な雌ネジ部Ｎを刻設してなるアダプター４を３個（１＋ｎ）個とを用意した上、各継足鉛筆３である継足末端用鉛筆３０，３０の２個、継足中間用鉛筆３１，３１の２個と３個のアダプター４，４，４とが、各アダプター４，４，４の雌ネジ部Ｎに各継足鉛筆３の雄ネジ部Ｂを夫々螺合、連結するようにして一本化したものである。
【００３４】
図２中に示すように、継足鉛筆３は、端切鉛筆２の端部に適宜雄ネジ部Ｂを切削して、継足末端用鉛筆３０または継足中間用鉛筆３１の何れかに加工したものであり、継足末端用鉛筆３０は前述の通り、端切鉛筆２の既に円錐状に切削されている端部とは反対がわの未切削である一方端に、その軸２１部分を芯２０より太く、同軸２１外径より細い短柱状部分２２とするよう切削すると共に、該短柱状部分２２の周囲に雄ネジを刻設し、一定形状の雄ネジ部Ｂを同心凸状に形成して鉛筆１の先端用のものとすることができる外、端切鉛筆２の既に円錐状に切削されている端部に雄ネジ部Ｂを形成し、それとは反対がわの輪切り状の端部をそのままの状態とし、鉛筆１の先端用または末端用のものとすることができ、さらに、前者の円錐状の端部や後者の輪切り状の端部にも雄ネジ部Ｂを形成すると、後述する継足中間鉛筆３１に変更することが可能であり、後者は、輪切り状の端部に円錐状の切削を施して、鉛筆１先端用のものに変更したり、または、輪切り状の端部に雄ネジ部Ｂを形成して継足中間鉛筆３１に変更することが可能である。
【００３５】
継足中間鉛筆３１は、端切鉛筆２の両端双方に、雄ネジ部Ｂ，Ｂを切削加工したものであり、両端の雄ネジ部Ｂ，Ｂの中の何れか一方がわの端部を円錐状に切削すると、鉛筆先端用の継足末端用鉛筆３０に変更可能である。
前記継足鉛筆３である継足末端用鉛筆３０および継足中間用鉛筆３１は、何れも短くなった端切鉛筆２を加工してなるものとしているが、図示しない新品のままの鉛筆に置き換えることが可能である外、工場生産にて雄ネジ部Ｂを加工したものとすることが可能である。
【００３６】
図３中に示すように、この発明の鉛筆１は、図１中に示した各部品の中、末端が輪切り状のままとした継足末端用鉛筆３０のみを、延長パーツ５に置き換えてなるものであって、同延長パーツ５は、その全体が合成樹脂を当該端切鉛筆２と略同じ外径で、適宜長さの円筒棒状に成型してなる把持部５０に形成し、同把持部５０の一方端にだけ当該雄ネジ部Ｂを同心状に設け、これとは反対がわの他方端には、把持部５０よりも大きな直径の球形頭部状の装飾部５１を一体成型してなるものである。
また、同図３中に示すように、該延長パーツ５は、その頭部状装飾部５１を該把持部５０より直径が大きな短円筒状の小収納室５２とし、その末端を開口して、ネジ締め型の開閉キャップ５３を着脱自在に螺合、装着してなるものに置き換えたものとすることが可能である。
【００３７】
図４中に示すように、この発明の鉛筆１は、図３中に示した各部品の中、後端がわの継足中間用鉛筆３１の末端に接続するアダプター４を取り除き、延長パーツ５をその雄ネジ部Ｂが雌ネジ部Ｎに変更されてなるものに置き換えたものであり、後端がわ配置の継足中間用鉛筆３１の雄ネジ部Ｂに対して該延長パーツ５の雌ネジ部Ｎを直接的に螺合、連結するようにしてなるものである。
【００３８】
図５中に示す、この発明の鉛筆１は、図３および図４中に示した各延長パーツ５を装飾パーツ６に置き換えたものとすることができ、図３中の各延長パーツ５に置き換え可能な装飾パーツ６は、その一方端が雄ネジ部Ｂとしてあり、他端がわは端切鉛筆２の外径より大きな球状の頭状部６０に形成してなるものであり、該頭状部６０を端切鉛筆２の外径より大きな短円筒状の小収納室５２とし、その末端を開口して、ネジ締め型の開閉キャップ５３を着脱自在に螺合、装着してなるものに置き換えたものとすることが可能である。
また、図４中の各延長パーツ５に置き換え可能な装飾パーツ６は、その一方端が当該端切鉛筆２に略一致する外径の短筒状であって、同心状の雌ネジ部Ｎを穿設してあり、他端がわは端切鉛筆２の外径より大きな球状の頭状部６０に形成してなるものであり、該頭状部６０を端切鉛筆２の外径より大きな短円筒状の小収納室５２とし、その末端を開口して、ネジ締め型の開閉キャップ５３を着脱自在に螺合、装着してなるものに置き換えたものとすることが可能である。
【００３９】
図６中に示すとおり、当該延長パーツ５は、その把持部５０の雄ネジ部Ｂまたは雌ネジ部Ｎを設けた一方端とは反対がわとなる他方端にも、雄ネジ部Ｂまたは雌ネジ部Ｎを設けたものとすることができ、この他方端に対して、雌ネジ部Ｎを設けた各種装飾パーツ６や、雄ネジ部Ｂ設けた各種装飾パーツ６を直接にか、または、アダプター４を介してかの何れかの組み合わせにて螺合、連結するようにしてなるものとすることができる。
【００４０】
また、同図６のように、複数個の延長パーツ５，５，……の各把持部５０，５０，……や装飾パーツ６，６，……の略全体を、互いに異なる色に着色して各々が視覚的表示部Ｃ，Ｃ，……となるようにし、異なる色の部品同士の組み合わせにて、複数本の鉛筆１，１，……が、互いに異なる複数通りの配色となるよう、夫々組み立て可能なものとすることができ、さらにまた、色のみに留まらず、各部品の一部または全体に文字や印、模様、絵、キャラクターなど、視覚的に識別容易な程度に互いに異なる視覚的表示部Ｃ，Ｃ，……を設けたものとすることが可能である。
【００４１】
図７中のもののように、当該延長パーツ５は、その把持部５０の外周壁適所に、長方形凹面状に区画し、その区画周縁に、長方形状軟質シート製の名前記入用表示シートＳの周縁を係合可能な複数の係止爪を形成してなるシート装着部Ｄを形成し、同シート装着部Ｄに該表示シートＳを着脱自在に嵌合、装着してなるものとすることが可能である。
当該シート装着部Ｄは、当該延長パーツ５の外、前記何れかのアダプター４、装飾パーツ６などの外周壁適所に設けたものとすることが可能である。
【００４２】
図８中に示すように、この発明の鉛筆１は、継足末端用鉛筆３０および継足中間用鉛筆３１を木製のアダプター４を介して連結可能であり、該継足中間用鉛筆３１の末端がわに、雌ネジ部Ｎと雄ネジ部Ｂとを各端に設けた木製の延長パーツ５、ならびに雌ネジ部Ｎを設けた合成樹脂製の装飾パーツ６が順次連結可能なものとしてあり、加えてアダプター４の雌ネジ部Ｎに木工用の接着剤Ａを塗布した上、該雌ネジ部Ｎの両端開口には、夫々円形の合成樹脂シート製であって外径周縁の一部より摘み用舌片Ｔを突出、形成した密閉皮膜Ｆ，Ｆを剥離容易な強度で貼着、密閉状としてなるものとすることが可能である。                  
【実施例２】
【００４３】
図９の包装された継足具セットの正面図、および、図１０の使用状態の雄ネジ切削具の正面図に示す事例は、端切鉛筆２に雄ネジ部Ｂを切削可能な雄ネジ切削具７と、当該アダプター４、延長パーツ５および装飾パーツ６，６の少なくとも何れか一個とを組み合わせてなるものとした、この発明の継足具セットにおける代表的な一実施例を示すものである。
この図９に示す継足具セット９は、後述する雄ネジ切削具７を１個、図８中に示したものと同じ木製アダプター４の２個、木製延長パーツ５の１個、および２個の合成樹脂製装飾パーツ６，６の２個からなる商品群を店頭陳列用のブリスターパック（登録商標）１個に纏めて包装してなるものである。
【００４４】
図１０に示すように、該雄ネジ切削具７は、端切鉛筆２外径の数倍程度の握り易い外径とした携帯容易な円柱状または多角柱状のものとし、その軸心長さ方向の中途適所から切削具本体７０と、同切削具本体７０にネジ構造を介して同心状、着脱自在に螺合、一体化可能な切削屑用容器部７１とに２分割分離可能とするよう、組み合わせてなるものであり、同切削具本体７０の切削屑容器７１連結がわとは反対がわとなる端壁の中央から、切削加工の対象となる端切鉛筆２の軸２１外径より僅かに大きな内径の短孔状案内路７２を同心埋没状に内蔵し、該案内路７２の外端を該切削具本体７０端面外壁中央に開口すると共に、該案内路７２の切削具本体７０内に配した内端に対峙するよう、当該端切鉛筆２の軸２１端外径がわに、同端切鉛筆２芯２０を中心とする円筒状範囲を切削して、同端切鉛筆２軸２１端に同心円柱状の短柱状部分２２を形成するよう縮径化可能な複数枚（例えば２枚または３枚）の外周用切り刃部８０，８０を互いに、同端切鉛筆２芯２０回りの均衡する角度（例えば１８０度または１２０度）を隔てて配すると共に、各外周用切り刃部８０，８０よりも奥がわに、当該短柱状部分２２の外周壁に雄ネジ部Ｂを切削可能とするダイス型ネジ切り刃部８１を配してなる切削刃８を形成した上、同切削刃８が切削具本体７０内に一体的に固定されたものとし、該切削刃８の周囲に形成した切削具本体７０内部空間を、該切削具本体７０に装着した当該切削屑容器７１内に連通し、該切削刃８より排出される端切鉛筆２軸２１の図示しない切削屑が、当該切削屑容器７１内に自動的に収容されるよう形成してなるものである。
【００４５】
（実施例１の作用）
以上のとおりの構成からなるこの発明の鉛筆１は、図１および図２中に示すように、継足鉛筆３である継足末端用鉛筆３０の２個、継足中間用鉛筆３１，３１，……のｎ個と（１＋ｎ）個のアダプター４，４，……とが、各アダプター４，４，……の雌ネジ部Ｎに各継足鉛筆３の雄ネジ部Ｂを螺合、連結するようにして所望の長さに自由に一本化することが可能となり、しかも各雄ネジ部Ｂと雌ネジ部Ｎとの螺合によって各段に高い強固で連結するものとなる。
【００４６】
図３、図４中に示してあるように、後端がわとなる継足中間用鉛筆３１に延長パーツ５を接続すると、継足末端用鉛筆３０および継足中間用鉛筆３１の合計長さが不十分な場合であっても、延長パーツ５によって充分な長さを確保することが可能となり、図５のように、後端がわとなる継足中間用鉛筆３１に装飾パーツ６を交換容易に接続してなるものは、様々な形状の複数個の装飾パーツ６，６，……の中から、利用者の好みや利用目的などに応じて自由に選択して装着し、また簡単に交換することが可能となる。
【００４７】
また、図６中に示す、延長パーツ５の雄ネジ部Ｂかまたは雌ネジ部Ｎを形成した末端がわに、それら末端がわの雄ネジ部Ｂまたは雌ネジ部Ｎに対して着脱自在に螺合、連結可能とした各種装飾パーツ６を組み合わせてなるものは、利用者が延長パーツ５および装飾パーツ６を自由に選択して組み立て、ならびに部品の組み替えが可能となり、各部品の視覚的表示部Ｃ，Ｃ，……に夫々異なる色や文字、印、模様、絵、キャラクターなどが表示してあって、個々の識別が容易になり、複数の利用者が集まった場合にも各自の鉛筆１を正確且つ容易に見分けることが可能となる。
【００４８】
図７中に示してある、延長パーツ５の周壁適所にシート装着部Ｄを形成したものは、利用者の名前やニックネームなどを自由に書き込むことのできる表示シートＳを該シート装着部Ｄに着脱自在に装着可能であり、表示シートＳを交換するだけで延長パーツ５を汚したりせずに、表示情報のみを速やかに変更可能である。
【００４９】
図８にある木製のアダプター４および木製の延長パーツ５を設けた鉛筆１は、筆記中に握る範囲の全体を木製とすることが可能であり、温もりのある木の感触をもつものとすることが可能であり、木製のアダプター４の雌ネジ部Ｎに塗布した接着剤Ａは、未使用の状態では、密閉皮膜Ｆ，Ｆによって硬化しないよう保護されており、使用する段階で、各密閉皮膜Ｆ，Ｆの摘み用舌片Ｔ，Ｔを摘んで剥がし取り、各継足末端用鉛筆３０、継足中間用鉛筆３１を螺合、連結した後に硬化するようにしてあり、組み立て作業が容易で、しかも接着剤Ａが硬化した後には、継足末端用鉛筆３０、継足中間用鉛筆３１およびアダプター４が一体の木製棒状のものとなり、アダプター４による連結部分であっても、通常の鉛筆と全く同様に切削して、そのまま筆記に使用可能なものとなる。
【００５０】
（実施例２の作用）
この発明の継足具セット９は、図９のように、雄ネジ切削具７と、アダプター４、延長パーツ５および装飾パーツ６などの鉛筆継足用の部品類とを一纏めにしてブリスターパックに包装したものであり、整然とした店頭陳列が可能な上、該継足具セット９を一つ購入するだけで、利用者は、この発明の基本をなす鉛筆１を簡便且つ速やかに加工、組み立て可能なものとなり、さらに、これとは別の部品構成とした継足具セットのバリエーションを多彩に展開することが可能である。
【００５１】
そして、図１０中に示すように、継足具セット９中に必ず含まれている雄ネジ切削具７は、その案内路７２に端切鉛筆２の端部を、同図１０中の白抜き矢印に示すように差し込むと共に、同図１０中の実線矢印に示すように、端切鉛筆２を軸心とするよう所定切削方向に相対的に回転操作すると、切削刃８の外周用切り刃部８０が、軸２１の端面から、その外周壁の所定肉厚分を円筒状に切削して短柱状部分２２を削り出し、さらに、奥がわへ回転しながら進む短柱状部分２２の外周壁に、ダイス型のネジ切り刃部８１が、同心螺旋状の雄ネジ部Ｂを切削、形成して行くものとなり、切削刃８の外周用切り刃部８０およびネジ切り刃部８１が削り出した図示しない切削屑は、切削具本体７０の内部空間を通じて切削屑容器７１内に自動的に収容されるようになっていて、継足鉛筆３の切削を終了した後に、該切削屑容器７１を切削具本体７０から取り外して、同切削屑容器７１内部に蓄積した切削屑を適正に廃棄して再度、切削具本体７０に組み込み、装着して切削可能な状態とすることが可能である。
【００５２】
（実施例１の効果）
以上のような構成からなる実施例１の鉛筆１は、前記この発明の効果の項で記載の特徴に加え、図３中に示すように、延長パーツ５の末端がわに開閉キャップ５３を有する小収納室５２からなる頭部状装飾部５１を一体に設けたものや、図５に示すように、開閉キャップ５３を有する小収納室５２からなる装飾パーツ６を着脱自在に設けたものは何れも、小さな消しゴムやメモ紙類などを収納することが可能であり、装飾性の向上に留まらず実用性を一段と高め、また、図７に示した延長パーツ５は、シート装着部Ｄに装着してある表示シートＳを、複数の係止爪から外すだけで簡単に脱着可能であり、粘着剤などを一切使用せず、表示シートＳの差し替えや交換も容易で、装着後は不用意に離脱することが無く、利用者が所有する複数本の鉛筆１，１，……を、一段と効率的に管理できるものになるという効果が得られる。
【００５３】
そして、図８に示す、雌ネジ部Ｎに接着剤Ａを塗布してなるアダプター４は、両端の密閉皮膜Ｆ，Fが該接着剤Ａの硬化を防止するものとなり、同アダプター４を使用するときには、各密閉皮膜Ｆ，Fを剥がして継足末端用鉛筆３０および継足中間用鉛筆３１を簡単に連結することができ、しかも木製であって、接着剤Ａが硬化した後には、継足末端用鉛筆３０および継足中間用鉛筆３１に材質的にも一体化するものとなり、アダプター４による連結部分を含めた継足鉛筆３の全体を通常の鉛筆と同様に切削することができ、無駄な端切鉛筆２を発生せずに、非常に経済的で自然環境にも優しい鉛筆１を実現化できる利点がある。
【００５４】
（実施例２の効果）
実施例２の継足具セット９は、前記この発明の効果の項で記載の特徴に加え、図９中に示すように、この発明の基本をなす鉛筆１を組み立てるのに必要となるアダプター４，４、延長パーツ５、装飾パーツ６，６および雄ネジ切削具７が一まとめに包装されて店頭に整然と陳列することができ、利用者は部品の過不足なく手軽に購入することができるものとなる上、購入者のニーズに応じて部品構成を組み替えた複数種類のパッケージを商品展開することが可能となり、しかも在庫、出荷、販売の管理をより効率化することができるようになる上、雄ネジ切削具７は、小型、軽量で低廉にて製造可能であって誰にでも簡単に利用することができ、携行も容易なものとなり、学校や職場などであっても場所を選ばず、端切鉛筆２の端部に迅速且つ静粛に雄ネジ部Ｂを切削加工することができるという一層実用的な効果を発揮するものとなる。
【００５５】
（結  び）
叙述の如く、この発明の鉛筆、およびそれ用の継足具セットは、その新規な構成によって所期の目的を遍く達成可能とするものであり、しかも製造も容易で、従前からの継足鉛筆のように凹凸を嵌合させたものなどに比較して大幅に耐久強度を高め、軽量且つ低廉化して遥かに経済的なものとすることができる上、切削加工を単純化して組み立て作業性を大幅に改善し得るものとなることから、従前までは凹凸部分の加工を誤ったり、正確に加工できずに手間取ったりするなどして幼児や高齢者などには継足作業が困難でり、従前までも端切鉛筆を継ぎ足して利用する技術へのニーズは高かったもの、その実用化を断念せざるを得なかった文房具業界および事務用品業界はもとより、端切鉛筆の経済的な再生利用技術を切望する一般家庭や鉛筆業界においても高く評価され、広範に渡って利用、普及していくものになると予想される。                                                                                      
【図面の簡単な説明】
【００５６】
図面は、この発明の鉛筆、およびそれ用の継足具セットの技術的思想を具現化した代表的な幾つかの実施例を示すものである。
【図１】アダプターを介して連結した鉛筆を示す平面図である。
【図２】継足鉛筆の加工例を示す平面図である。
【図３】アダプターを介して延長パーツを連結した鉛筆を示す平面図である。
【図４】延長パーツを直接連結した鉛筆を示す平面図である。
【図５】装飾パーツを組み込んだ鉛筆を示す平面図である。
【図６】延長パーツに連結する各種装飾パーツを示す平面図である。
【図７】シート装着部有する延長パーツを示す平面図である。
【図８】アダプターの雌ネジ部に接着剤を塗布した鉛筆を示す平面図である。
【図９】包装された継足具セットを示す正面図である。
【図１０】端切鉛筆を切削する雄ネジ切削具を示す正面図である。
【符号の説明】
【００５７】
１      鉛筆
２      端切鉛筆
２０    同  芯
２１    同  軸
２２    同  短柱状部分
３      継足鉛筆
３０    同  継足末端用鉛筆
３１    同  継足中間用鉛筆
４      アダプター
５      延長パーツ
５０    同  把持部
５１    同  頭部状装飾部
５２    同  小収納室
５３    同  開閉キャップ
６      装飾パーツ
７      雄ネジ切削具
７０    同  切削具本体
７１    同  切削屑容器
７２    同  案内路
８      切削刃
８０    同  外周用切り刃部
８１    同  ネジ切り刃部
９      継足具セット
Ｂ      雄ネジ部
Ｎ      雌ネジ部
Ｗ      密閉壁
Ｃ      視覚的表示部
Ｄ      シート装着部
Ｓ      表示シート
Ａ      接着剤
Ｆ      密閉皮膜
Ｔ      摘み用舌片                                                                                              
【図１】
2010179540.tif 000003
【図２】
2010179540.tif 000004
【図３】
2010179540.tif 000005
【図４】
2010179540.tif 000006
【図５】
2010179540.tif 000007
【図６】
2010179540.tif 000008
【図７】
2010179540.tif 000009
【図８】
2010179540.tif 000010
【図９】
2010179540.tif 000011
【図１０】
2010179540.tif 000012